(57)【要約】【課題】椅子状に姿勢変更可能なベッドで、床面を水平な状態で使用する場合においても安定した状態で使用できように転倒防止手段を設けること。【解決手段】椅子状の形態にも姿勢変更可能なベッドにおいて、椅子状の状態で腰受ボトムの前端部とベースフレームの前端部が側面視において略同じ程度となるようベースフレームを構成し、脚受ボトムは収納機構により腰受ボトムの下方に収納された状態から前方上方へ移動するとともに腰受ボトムと略同一平面を形成することができるよう構成し、少なくとも背受ボトムと腰受ボトム及び脚受ボトムが同一平面をなすとき、脚受ボトムは脚受ボトム下方で支持部材により支持可能な状態となるように構成された転倒防止手段を備えた。【選択図】図１３
2007202670.tif 000002
【特許請求の範囲】
【請求項１】
椅子状の形態にも姿勢変更可能なベッドにおいて、椅子状の状態で腰受ボトムの前端部とベースフレームの前端部が側面視において略同じ程度となるようベースフレームを構成し、脚受ボトムは収納機構により腰受ボトムの下方に収納された状態から前方上方へ移動するとともに腰受ボトムと略同一平面を形成することができるよう構成し、少なくとも背受ボトムと腰受ボトム及び脚受ボトムが同一平面をなすとき、脚受ボトムは脚受ボトム下方で支持部材により支持可能な状態となるように構成された転倒防止手段を備えたことを特徴とする椅子状に姿勢変更可能なベッド。
【請求項２】
収納機構は背受ボトムの起伏に連動して前後に移動するスライドフレーム上に脚受ボトムを配して構成し、このスライドフレームに回動自在に枢支された支持部材を前方上方へ回動するようスプリングを張設し、さらに支持部材とベースフレーム間に作動ロッドを配してなる転倒防止手段を具備したことを特徴とする請求項１記載の椅子状に姿勢変更可能なベッド
【発明の詳細な説明】
【技術分野】
【０００１】
本発明は、姿勢変更可能なベッドにおける転倒防止手段に関するものである。
【背景技術】
【０００２】
従来、介護用のベッドとして床部が複数に分割され、それぞれの床部が起伏動作可能に構成されたものがある。しかしながら、一般的に普及しているこの種のベッドは背上げ動作と膝上げ動作とを組み合わせた動作を行うものとなっている。そのためにベッド上での療養には適しているが、ベッドへの乗り降りが困難なものとなっている場合が多々ある。
そこで、ベッドの床部を複数に分割してこの床部を起伏可能に構成するとともに、椅子状の状態にも姿勢変更可能なベッドがある。
【０００３】
このベッドでは、背上げ動作に連動するように脚受けボトムが腰受けボトムの下方に収納されることによって椅子状の状態に変形するものである。そして、椅子状の状態で立ち上がりや着座が容易に行えるように左右両側部にはフレームなどが突出しないように構成されている。そのために、前方への立ち上がりだけでなく、ベッド側方への移動も容易に行うことができるという効果もある。
【０００４】
しかしながら、このようにフレームを構成することによって、床部が平滑な状態としたときに脚受けボトム側に大きな負荷をかけた場合、頭部側が浮き上がってしまう恐れがある。これを防止するために床部支持機構が具備されている。この床部支持機構は床面上を前後に転動しながら脚受けボトムを支持するよう構成されている（特許文献１参照）。
【０００５】
そのため、このベッドを使用すると絨毯や畳に傷や跡が残ったりする場合がある。
【特許文献１】特開２００５−１１８１８９号公報
【発明の開示】
【発明が解決しようとする課題】
【０００６】
解決しようとする問題点は、椅子状に姿勢変更可能なベッドで、床面を水平な状態で使用する場合においても安定した状態で使用できように転倒防止手段を設けることを課題とする。
【課題を解決するための手段】
【０００７】
請求項１の発明は、椅子状の形態にも姿勢変更可能なベッドにおいて、椅子状の状態で腰受ボトムの前端部とベースフレームの前端部が側面視において略同じ程度となるようベースフレームを構成し、脚受ボトムは収納機構により腰受ボトムの下方に収納された状態から前方上方へ移動するとともに腰受ボトムと略同一平面を形成することができるよう構成し、少なくとも背受ボトムと腰受ボトム及び脚受ボトムが同一平面をなすとき、脚受ボトムは脚受ボトム下方で支持部材により支持可能な状態となるように構成された転倒防止手段を備えたことを特徴とする。
請求項２の発明は、収納機構は背受ボトムの起伏に連動して前後に移動するスライドフレーム上に脚受ボトムを配して構成し、このスライドフレームに回動自在に枢支された支持部材を前方上方へ回動するようスプリングを張設し、さらに支持部材とベースフレーム間に作動ロッドを配してなる転倒防止手段を具備したことを特徴とする。
【発明の効果】
【０００８】
請求項１の発明は、椅子状に姿勢変更可能なベッドにおいて、ベースフレームの前端部と腰受ボトムの前端部が側面視において略同じ位置となっているので、椅子状とした際に横方向に開放されており、立ち上がりやすく移動しやすいものとなっている。そして、背受ボトムと腰受ボトム及び脚受ボトムを同一平面をなす状態とした際には、ベースフレームよりも前方に突出した位置にある脚受ボトムを支持部材が支持可能な状態となるように転倒防止手段が具備されているので脚受ボトムに過重がかかった場合でも安定して使用することができる。
請求項２の発明では、収納機構の作動により、スライドフレームが前方にあるときにはスプリングに抗してロッドが作用し支持部材を立設状態とし、スライドフレームが後方位置にあるときにはスプリングにより支持部材が前方上方に回動した状態となるように転倒防止手段が構成されている。このように非常に簡単な構成であり、また、背受ボトムの起伏動作と脚受ボトムの収納動作及び転倒防止手段の作動が一つの駆動手段でなされているので、安価に提供することができる。
【発明を実施するための最良の形態】
【０００９】
椅子状の形態にも姿勢変更可能なベッドにおいて、椅子状の状態で腰受ボトムの前端部とベースフレームの前端部が側面視において略同じ程度となるようベースフレームを構成し、脚受ボトムは収納機構により腰受ボトムの下方に収納された状態から前方上方へ移動するとともに腰受ボトムと略同一平面を形成することができるよう構成し、少なくとも背受ボトムと腰受ボトム及び脚受ボトムが同一平面をなすとき、脚受ボトムは脚受ボトム下方で支持部材により支持可能な状態となるように構成された転倒防止手段を備える。
【実施例１】
【００１０】
本発明に係る転倒防止手段１を備えたベッドＢの一実施例を図面に基づいて説明する。このベッドＢは床面に設置されるベースフレーム２と、このベースフレーム２に対して前後に移動する摺動フレーム３と、この摺動フレーム３をベースフレーム２に対して前後に移動させるための駆動手段４と、さらに、前記ベースフレーム２に組み付けられる腰受ボトム５と、前記ベースフレーム２と摺動フレーム３間に摺動フレーム３の前後移動により動作される起伏機構６を介して前記腰受ボトム５と同一平面を形成可能に組み付けられる背受ボトム７と、前記ベースフレーム２と摺動フレーム３間に前記起伏機構６を介して組み付けられる収納手段８と、該収納手段８に前記腰受ボトム５と平行な平面を形成可能に組み付けられる脚受ボトム９と、収納手段８に具備される転倒防止手段１とから主に構成されている。
以下、各部の構成について図面に基づいて説明する。
【００１１】
まず、床面に設置されるベースフレーム２について第１図から第２図に基づいて説明する。
このベースフレーム２は、前側フレーム１０と後側フレーム１１から構成されており、これらのフレーム１０，１１は互いに着脱可能に構成されている。
この前側フレーム１０は、第１図に示すように、設置脚１２，１２が下部に設けられた支柱１３，１３間に正面視において両端部が上方に曲折された連結パイプ１４が固着されている。さらに、前記連結パイプ１４には所定の間隔をおいて、後方へ突出するように下側フレームパイプ１５，１５の前端が固着されている。そして、この下側フレームパイプ１５，１５の後部間には補強部材１６が固着されている。また、前記下側フレームパイプ１５，１５の前部には支持プレート１７，１７が固着され、この支持プレート１７，１７の前部と後部には内側へ突出するよう軸材１８，１８がそれぞれ固着されるとともに、該軸材１８，１８に後述する収納手段８の構成部材を案内するためのローラー１９，１９がそれぞれ組み付けられている。さらに、前記支持プレート１７，１７の前部には外側へ突出する状態で軸材２０，２０が固着され、この軸材２０，２０に後述する脚受ボトム９を支持するためのローラー２１，２１が組み付けられている。また、前記下側フレームパイプ１５，１５の後部には内側へ突出する状態で係止軸２２，２２が固着され、中間部上面には平面視において略Ｌ字形状の案内プレート２３，２３が固着されている。また、下側フレームパイプ１５，１５後部前側寄りには軸受部材２４，２４が外側へ突出する状態で固着されている。なお、前記案内プレート２３，２３には横方向の空孔部２３ａ，２３ａがそれぞれ穿設されている。
【００１２】
次に、前記後側フレーム１１は、第１図に示すように、設置脚１２，１２が下部に設けられた支柱２５，２５間に連結パイプ２６が固着されている。さらに、前記連結パイプ２６には所定の間隔をおいて、前方へ突出するように上側フレームパイプ２７，２７の後部が固着され、該上側フレームパイプ２７，２７中間部下面に平面視において略Ｌ字形状の係止プレート２８，２８がそれぞれ固着されるとともに、該係止プレート２８，２８間に補強部材２９が固着されている。また、上側フレームパイプ２７，２７の前部外側面には正面視において略Ｌ字形状に構成された支持プレート３０，３０が固着され、前部下面には連結パイプ３１，３１がそれぞれ固着されている。さらに、上側フレームパイプ２７，２７の前部と中間部には内側へ突出する状態で軸材３２，３２，・・・がそれぞれ固着され、該軸材３２，３２に後述する摺動フレーム３を案内するためのローラー３３，３３，・・・が組み付けられている。また、上側フレームパイプ２７，２７の後部上面にはプレートを屈曲させて緩衝部材として機能するよう構成した支持具３４，３４が固着され、前部には後述する腰受ボトム５が組み付けられる取付プレート３５，３５が固着されている。なお、前記係止プレート２８，２８の前側下部には前方に開口部を有する係止溝２８ａ，２８ａがそれぞれ設けられ、前記連結パイプ３１，３１には横方向の空孔部３１ａ，３１ａが穿設されている。また、前記連結パイプ２６の中間部には後述する駆動手段４を組み付けるためのブラケット３６が固着されている。
【００１３】
このように構成された前側フレーム１０と後側フレーム１１は次のようにして組み立てられる。
まず、第１図に示すように、後側フレーム１１と前側フレーム１０を側面視において略ハ字状態で保持して、前側フレーム１０の係止軸２２，２２を後側フレーム１１の係止プレート２８，２８に設けた係止溝２８ａ，２８ａに引っ掛ける。
然る後、前側フレーム１０と後側フレーム１１の支えを解除すると、第２図に示すように、後側フレーム１１の前記連結パイプ３１，３１が前側フレーム１０の前記案内プレート２３，２３の内側に沿うようになる。そして、この連結パイプ３１，３１下面が下側フレームパイプ１５，１５の上面に当接するようになる。この状態で、第２図に示すように、連結ピン３７，３７を前記案内プレート２３，２３と連結パイプ３１，３１のそれぞれに設けた空孔部２３ａ，２３ａ，３１ａ，３１ａに連通し、固定している。なお、前記連結ピン３７，３７には脱落防止用の図示しない抜け止めピンが組み付けられている。
【００１４】
続いて、摺動フレーム３について第３図に基づいて説明する。
この摺動フレーム３は、正面視において略コ字形状のレール３８，３８を有し、このレール３８，３８の開放側がそれぞれ外側を向く状態で所定間隔をおいてそれぞれのの後部と中間部に補強部材３９と連結パイプ４０が固着されている。さらに、前記レール３８，３８の前部上面に側面視において略山形形状の揺動カム４１，４１がそれぞれ固着され、該揺動カム４１，４１の前部間に補強部材４２が固着されている。また、前記レール３８，３８の前部内側面には所定の位置に鍔付きの第一固定ピン４３と第二固定ピン４４が内側へ突出する状態で固着されたガイドプレート４５，４５が固着されている。さらに、前記ガイドプレート４５，４５の第一固定ピン４３，４３後方上部には空孔部４５ａ，４５ａが穿たれ、該空孔部４５ａ，４５ａの軸心上に軸心を有する空孔部４１ａ，４１ａが前記揺動カム４１，４１にそれぞれ穿たれている。また、前記連結パイプ４０中間部には後述する駆動手段４を組み付けけるための取付具４６が固着されている。
【００１５】
このように構成された摺動フレーム３は、第３図に示すように、前記レール３８，３８内を前記ベースフレーム２の後側フレーム１１に設けたローラー３３，３３，・・・が転動するように、前記後側フレーム１１の上側フレームパイプ２７，２７間に挿通する。そして、第４図に示すように、駆動手段４である適宜伸縮操作可能なアクチュエーター４７の前部を摺動フレーム３の取付具４６にピン４８で取り付けるとともに、後部を前記ベースフレーム２の後側フレーム１１に設けたブラケット３６にピン４９で取り付ける。このように駆動手段４を取り付けることで、摺動フレーム３は、図示しない制御装置の操作によって駆動手段４を適宜伸縮動作をさせると、摺動フレーム３のレール３８，３８がベースフレーム２に設けた前記ローラー３３，３３，・・・に案内されて、ベースフレーム２に対して前後に移動するように構成されている。
なお、本実施例では駆動手段４として伸縮自在なアクチュエーター４７を使用しているが、駆動手段４は摺動フレーム３をベースフレーム２に対して前後に移動できるものであればよく、液圧シリンダや螺子の螺合によるもの、また、ベースフレーム２に取り付けられたモーターの回転によってループ状のチェーン等が押し引きされるよう構成し、このチェーンの一部に摺動フレーム３を取り付けたものであっても何ら問題はない。
【００１６】
次に、前記背受ボトム７と、前記摺動フレーム３の前後移動により動作される起伏機構６について第５図から第８図に基づいて説明する。
まず、背受ボトム７は、第６図に示すように、平面視において前方側が開放された略コ字形状に曲折された枠パイプ５０を有し、その端部間に連結パイプ５１が固着されている。さらに、側面視において略へ字形状に曲折された支持パイプ５２，５２の前端部が前記連結パイプ５１の前下方へ突出する状態で、左右方向に所定間隔離間させてそれぞれ固着している。また、前記連結パイプ５１の支持パイプ５２，５２外側の位置に前方へ突出する状態でブラケット５３，５３が固着されている。さらに、前記枠パイプ５０後部側と連結パイプ５１間には複数のステー部材５４，５４，・・・が固着されている。
【００１７】
続いて、起伏機構６は、増幅リンク５５と、前記背受ボトム７に固着される回動リンク５６，５６と、背受ボトム７と前記ベースフレーム２間に組み付けられるロッド５７，５７とから主に構成されている。
前記増幅リンク５５は、第５図に示すように、上部側に開口部を有する略逆へ字形状の係止溝５８ａ，５８ａが設けらて、後部にフック部５８ｂ，５８ｂが形成された増幅プレート５８，５８を所定間隔離間させた状態で、該増幅プレート５８，５８前部間に連結部材５９が固着されている。なお、前記係止溝５８ａ，５８ａの後端部は円弧状に構成されており、この円弧と同心円弧となるように、前記フック部５８ｂ，５８ｂ外周は構成されている。また、増幅プレート５８，５８中間部には内側に突出するよう固定ピン６０，６０がそれぞれ固着されている。さらに、前記連結部材５９の中間部には後述する収納手段８の取付具６１，６１が固着されている。
【００１８】
次に、前記回動リンク５６，５６は、第６図に示すように、前方側に開口部を有する係止溝６２ａ，６２ａがそれぞれ設けられた回動プレート６２，６２を所定間隔に離間させた状態で、該回動プレート６２，６２後部間に連結パイプ６３が固着されている。さらに、前記回動プレート６２，６２後部には空孔部６２ｂ，６２ｂがそれぞれ穿設されている。そして、この回動リンク５６は、前記背受ボトム７の支持パイプ５２，５２の前部に、左右の回動プレート６２，６２の内側面が沿うように配設された状態で固着されている。
【００１９】
また、前記ロッド５７は左右一対で構成されており、第８図に示すように、一端部にボス材６４が固着された外側ロッド６５に、内側ロッド６６の一端部が入れ子状態に挿通されて構成されている。
【００２０】
このように構成された起伏機構６の各部材は次のようにして前記摺動フレーム３及びベースフレーム２に組み付けられる。
まず、第５図に示すように、増幅リンク５５の増幅プレート５８，５８に設けた係止溝５８ａ，５８ａに前記摺動フレーム３のガイドプレート４５，４５に固着した第一固定ピン４３，４３を通すようにして、増幅プレート５８，５８を引っ掛ける。そして、第６図に示すように、前記第一固定ピン４３，４３を中心に幾らか増幅リンク５５，５５の前部側を下方回動させて、前記フック部５８ｂ，５８ｂ先端を前記ガイドプレート４５，４５と第二固定ピン４４，４４の鍔部間に挿通させて増幅リンク５５を組み付ける。次に、第６図に示すように、背受ボトム７に固着した回動リンク５６の回動プレート６２，６２に設けたそれぞれの係止溝６２ａ，６２ａを前記増幅リンク５５に固着した固定ピン６０，６０に通すように回動リンク５６を組み付ける。そして、第７図に示すように、前記摺動フレーム３の揺動カム４１，４１とガイドプレート４５，４５のそれぞれに設けた空孔部４１ａ，４１ａ，４５ａ，４５ａと回動プレート６２，６２に設けた空孔部６２ｂ，６２ｂとに支点ピン６７，６７を連通させて、組み付ける。この状態では、増幅リンク５５が前記第一固定ピン４３，４３を中心に回動したときに、前記増速プレート５８，５８のフック部５８ｂ，５８ｂ外周が支点ピン６７，６７に当接しながら回動するようにされている。すなわち、増幅リンク５５の増速プレート５８，５８は前記第二固定ピン４４，４４及び支点ピン６７，６７により抜け止めされた状態で回動するように構成されている。なお、前記支点ピン６７，６７には図示していないが脱落防止用の抜け止めピンが組み付けられる。
そして、第８図に示すように、前記ロッド５７，５７の外側ロッド６５，６５に設けたボス部材６４，６４と背受ボトム７のブラケット５３，５３とを軸ピン６８，６８で枢結させるとともに、内側ロッド６６，６６の端部とベースフレーム２の前側フレーム１０に設けた軸受部材２４，２４とを軸ピン６８，６８で枢結させる。
このようにして、背受ボトム７と起伏機構６の各部材を前記摺動フレーム３とベースフレーム２間に組み付ける。
【００２１】
次に、前記ベースフレーム２に組み付けられる腰受ボトム９について第９図に基づいて説明する。
腰受ボトム５は、平面視において後方側が開放された略コ字形状に曲折された枠パイプ６９の後端部間に連結パイプ７０が固着されている。また、側面視において略へ字形状に曲折された支持パイプ７１，７１の後端部が前記連結パイプ７０の後下方へ突出する状態で、該支持パイプ７１，７１を左右方向に所定間隔離間させて固着されている。さらに、前記支持パイプ７１，７１の後端部には同一方向に突出する状態で取付軸７２，７２が固着され、また、前記連結パイプ７０寄りの位置にはローラー７３，７３及び下方への突出量の調節可能な調整具７４，７４が設けられている。また、前記連結パイプ７０の中間部には前記支持パイプ７１，７１間に位置するようにプレート７５が固着されている。さらに、連結パイプ７０と枠パイプ６９内には平面視において略コ字形状に曲折された支持部材７６，７６，・・・が複数個固着されている。
【００２２】
このように構成された腰受ボトム５は、第９図に示すように前記取付軸７２，７２をベースフレーム２に設けた取付プレート３５，３５に挿通後、抜け止めして、ベースフレーム２に組み付ける。
このように組み付けられた腰受ボトム９は、前記調整具７４，７４がベースフレーム２に設けた支持プレート３０，３０に接当した状態となり、腰受ボトム５が床面に対して略水平な状態で保持された状態となっている。
【００２３】
続いて、脚受ボトム９と、前記ベースフレーム２と摺動フレーム３間に前記起伏機構６を介して組み付けられる収納手段８について第１０図に基づいて説明する。
まず、脚受ボトム９は、平面視において後方側が開放された略コ字形状に曲折された枠パイプ７７の端部間に連結パイプ７８が固着されている。さらに、前記連結パイプ７８と枠パイプ７７内には支持パイプ７９，７９と補強部材８０，８０，・・・が一定間隔をおいて固着され、この枠内の前部には適当な間隔をおいて取付軸８１，８１が固着されている。また、前記支持パイプ７９，７９の後部外側面には収納カム８２，８２が後下方に突出した状態で固着されている。
【００２４】
次に、前記収納手段８は、スライドフレーム８３と連動ロッド８４から主に構成されている。
まず、連動ロッド８４は、内側パイプ８５を外側パイプ８６に入れ子状となるように挿通したもので、それぞれ中間部には空孔部８５ａ，８６ａが設けられており、この空孔部８５ａ，８６ａにピン８７を挿通して一定長で保持できるように構成している。また、このピン８７を抜くことで、伸縮自在な状態とすることも可能に構成されている。
そして、スライドフレーム８３は、正面視において略コ字形状の開放側が外側を向くよう所定間隔をおいて配設されたレール８８，８８の前端間に連結パイプ８９が固着されるとともに、該レール８８，８８の後部間に正面視において略へ字形状に曲折された補強部材９０が固着されている。また、前記連結パイプ８９の上面に所定間隔をおいて軸受プレート９１，９１が固着されるとともに、中間部後面にブラケット９２が固着されている。なお、前記レール８８，８８は側面視において略逆ヘ字形状に屈曲されている。また、このレール８８，８８の中間部には空孔部８８ａ，８８ａがそれぞれ設けられており、前述のピン８７が挿通可能となっている。
そして、前記連動ロッド８４は、前端部となる外側パイプ８６の先端部が前記スライドフレーム８３のブラケット９２にピン９３で枢結されている。
【００２５】
このように構成された脚受ボトム９及び収納手段８は次のようにして前記起伏機構６を介してベースフレーム２と摺動フレーム３間に組み付けられる。
まず、収納手段８は、前記スライドフレーム８３のレール８８，８８内で前記ベースフレーム２の前側フレーム１０に設けたローラー１９，１９，・・・が転動されるように、スライドフレーム８３を前記前側フレーム１０の支持プレート１７，１７間に差し込むようにして前後摺動自在に組み付ける。そして、連動ロッド８４の後端部を前記起伏機構６の増幅リンク５５に設けた取付具６１にピン９４で枢結させて、収納手段８を起伏機構６及びベースフレーム２に組み付ける。
次に、脚受ボトム９の前記取付軸８１，８１をスライドフレーム８３の軸受プレート９１，９１に枢結させて、脚受ボトム９をスライドフレーム８３に回動可能に組み付ける。
なお、前記取付軸８１，８１及びピン９４には図示していないが脱落防止がなされている。
【００２６】
このように脚受ボトム９とスライドフレーム８３を組み付けることで、起伏機構６の増幅リンク５５の回動に伴って連動ロッド８４が前後に押し引きされ、スライドフレーム８３をベースフレーム２のローラー１９，１９，・・・に案内させながら前後方向斜めに移動するようにしている。また、脚受ボトム９の収納カム８２，８２と当接するベースフレーム２に設けたローラー２１，２１がスライドフレーム８３の前後移動に伴って前記収納カム８２，８２に沿って転がり、脚受ボトム９が取付軸８１，８１を中心に回動自在となっている。なお、連動ロッド８４のピン８７をスライドフレーム８８の空孔部８８ａに差し替えるとスライドフレーム８３を最前端の位置で保持でき、脚受ボトム９は水平な状態を維持する。そのため、脚を伸ばした状態で背上げすることができるようにも構成されている。
【００２７】
次に転倒防止手段１について第１１図に基づいて説明する。この転倒防止手段１はスライドフレーム８３に具備される取付部に回動自在に取り付けられる支持部材９５とスライドフレーム８３の前後移動により作動させるための作動ロッド９６から主として構成されている。
まず、スライドフレーム８３に具備される取付部は、スライドフレーム８３のレール８８，８８の内側中間部にはブラケット９７，９７がそれぞれ固着されている。また、スライドフレーム８３の連結パイプ８９の下面端部寄りには鍔付ピン９８が固着されている。
そして、支持部材９５は一対のパイプ９９，９９を連結部材１００で固着し、両側面部にブラケット１０１，１０１及び掛止プレート１０２，１０２を固着したものを備えている。このパイプ９９，９９内には正面視において略Ｌ字状に屈曲された支持パイプ１０３，１０３が挿通され、パイプ９９，９９に固着のナット９９ａ，９９ａにネジ部材（図示省略）を螺着して任意の高さ設定ができるように構成されている。
また、作動ロッド９６は一端部がネジ部９６ａとなり、他端部はＬ字状に屈曲されるとともに空孔部９６ｂが設けられてなるものである。
【００２８】
この支持部材９５はスライドフレーム８３のブラケット９７，９７に支持部材９５のブラケット１０１，１０１をピン（図示省略）で回動自在となるように枢支して取り付けられている。そして、作動ロッド９６はベースフレーム２の支持プレート１７の下方に固着された固定プレート１０４にネジ部９６ａ側を挿通し、他端部を支持部材９５の掛止プレート１０２に係止し、空孔部９６ｂにピン（図示省略）を挿通して抜け止めしている。そして、スライドフレーム８３を前方に移動させた状態で支持部材９５が床面に対して略垂直となる状態に作動ロッド９６のネジ部９６ａにナット１０５，１０５を螺着して支持部材９５の角度を設定しておく。
この状態で、作動ロッド９６の前端部及びスライドフレーム８３の鍔付ピン９８間にスプリング１０６を張設して支持部材９５を前方回動させる方向に付勢して転倒防止手段１が構成されている。
【００２９】
次に、このベッドＢの動作について第１２図及び第１３図に基づいて説明する。
まず、（ａ）図に示すベッド状態では、駆動手段４は最も伸長した状態であり、ベースフレーム２に対して摺動フレーム３が最も前方に移動した状態となっている。この状態では、腰受ボトム５は、該腰ボトム５に設けた調整具７４，７４がベースフレーム２に設けた支持プレート３０，３０に当接しており、床面に対して略水平な状態で保持されている。また、背受ボトム７もベースフレーム２に具備された支持具３４，３４に当接しており水平な状態で保持されている。そして、背受ボトム７に固着されている回動リンク５６が前方上方に回動した状態となっており、これにより増幅リンク５５も前方上方に回動された状態となっている。そのため、収納手段８の連動ロッド８４が前方に押し出された状態となり、スライドフレーム８３が最前方に押し出されている。この状態では、脚受ボトム９の収納カム８２，８２がベースフレーム２のローラー２１，２１に乗り上げた状態で保持されており、脚受ボトム９を水平な状態で保持している。このように、駆動手段４が伸長している状態では、背受ボトム７と腰受ボトム５及び脚受ボトム９が互いに略同一平面を形成する状態となっており、それぞれのボトム５，７，９の上面に載置されるマットレス（図示省略）上では、通常の仰臥姿勢がとれるようになっている。
このとき、第１３図（ａ）に示すように転倒防止手段１は固定プレート１０４に作動ロッド９６に螺着したナット１０５が接触した状態にあり、スプリング１０６に抗して支持部材９５を下方回動させ、支持部材９５が略垂直になった状態である。そのため、脚受ボトム９に大きな過重が加わった場合でも脚受ボトム９をしっかりと支持することができ転倒するのを防止することができる。
【００３０】
次に、駆動手段４をさらに縮め、第１２図（ｂ）図に示す状態になると、摺動フレーム３がベースフレーム２に対して後方へ移動する。このとき、摺動フレーム３前部に設けた揺動カム４１，４１に沿って腰受ボトム５に設けたローラー７３，７３が上方に移動することとなり、腰受ボトム５前部側が上方へ回動される。それと同時に、背受ボトム７は、摺動フレーム３の後方移動により背受ボトム７の前端側が後方へ移動しながら、ロッド５７，５７が突っかえた状態となり、徐々に上方回動される。このようにして、背受ボトム７は徐々に背上げされる。さらに、背受ボトム７が上方回動すると、背受ボトム７前端の回動リンク５６が下方回動する。回動リンク５６が下方回動することにより、増幅リンク５５も下方回動する。これに連動するように連動ロッド８４が引き込まれ、スライドフレーム８３とともに脚受ボトム９が後方に移動する。さらに脚受ボトム９の収納カム８２，８２がベースフレーム２のローラー２１，２１に沿ってスライドし、腰受ボトム５下方に移動する。
このとき、第１３図（ｂ）に示すように転倒防止手段１はスライドフレーム８３が後退した分、スプリング１０６が縮み、支持部材９５が前方回動する。そのため、スライドフレーム８３は後方下方へ斜方移動するが支持部材９５が前方回動するのでこの斜方移動を妨げることがない。
【００３１】
そして、さらに駆動手段４を縮めると、第１２図（ｃ）図に示すように摺動フレーム３はベースフレーム２の後部へと移動される。このとき、腰受ボトム５は摺動フレーム３の前記揺動カム４１，４１に沿ってローラー７３，７３が転動し、腰受ボトム５前部側が下方回動される。そして、腰受ボトム５は前記調整具７４，７４によりベースフレーム２の支持プレート３０，３０に支持され略水平な状態に戻る。
また、背受ボトム７はさらに起立した状態となり、回動リンク５６及び増幅リンク５５もさらに後方回動する。これに連動して、連動ロッド８４がさらに引き込まれ、スライドフレーム８３と脚受ボトム９は腰受ボトム５の下方に位置する状態まで後方移動し、使用者は自動的に腰掛の姿勢がとれるようになっている。
このとき、第１３図（ｃ）に示すように転倒防止手段１はスプリング１０６により前方回動され係止部材１０２，１０２がスライドフレーム８３のレール８８，８８に当接した状態となり、作動ロッド９６もスライドフレーム８３の後方移動に追従して後方移動している。
なお、駆動手段４を伸長させると、逆の動作が行われ、スライドフレーム８３が前方移動し、これに連動するように自動的に支持部材９５が後方回動され、脚受ボトム９を支持可能な状態となる。
【００３２】
上述したように当該ベッドＢは動作され、駆動手段４を伸縮動作することで、各ボトム５，７，９が水平状態となる第１２図（ａ）図に示すベッド状態から、背受ボトム７が背上げされるとともに脚受ボトム９が腰ボトム５下方に収納された第１２図（ｃ）図に示す椅子状態へと各ボトム５，７，９を動作させることができる。そして、この各ボトム５，７，９の動きに連動して転倒防止手段１である支持部材９５が作動するので安全にベッドを使用することができる。また、背受ボトム７の背上げに伴って、腰受ボトム５は上方回動するので、当該ベッドＢに仰臥している人が前方へずれることを防ぐことができる。
【００３３】
また、脚受ボトム９を最前部に位置させた状態（第１２図（ａ）に示す状態）で連動ロッド８４のピン８７を連動ロッド８４から抜き、スライドフレーム８３のレール８８，８８に設けた空孔部８８ａ，８８ａの何れか一方に差し込むと、連動ロッド８４は伸縮自在な状態となるとともに、スライドフレーム８３に挿通したピン８７がベースフレーム２のローラー１９に当接した状態となり、スライドフレーム８３は固定された状態となる。したがって、第１２図に示すように背受ボトム７と腰受ボトム５が起伏動作を行っている状態であっても、脚受ボトム９はその状態を保持しており、一般的な介護ベッドと同様に、脚を伸ばした座位姿勢がとれるようになる。
なお、このとき転倒防止手段１はスライドフレーム８３が最前部に位置した状態で移動しないので、支持部材９５は床面に対して略垂直な状態を維持している。
【００３４】
このように、当該ベッドＢは、ベッドＢ上において快適に過ごすことができるように起伏機構６が設けられるとともに、脚受ボトム９を腰受ボトム５下方に収納させる収納手段８が設けられており、水平な状態と椅子状の状態とに各ボトム５，７，９を作動させることができるように構成されている。
そのため、加齢による運動能力の低下等によってベッドＢから立ち上がりが困難な方であっても、身体の向きを変えることなく、ベッドＢを椅子状態に変形させることで、至便に腰掛け姿勢をとることができるとともに、その状態からベッドＢ前方の開放空間を利用してベッドＢ前方へと立ち上がることができる。
そして、立ち上がることよりも療養を中心とする場合には、上述したように、スライドフレーム８３を固定して、脚受ボトム９はそのままとして、背受ボトム７と腰受ボトム５の起伏動作を行うことで、より快適な療養をすることもできる。
さらに、脚受ボトム９の下方には転倒防止手段１が具備されているので転倒することがなく安心して使用できるものとなっている。
【図面の簡単な説明】
【００３５】
【図１】ベースフレームの構成を示す全体斜視図
【図２】ベースフレームの組立状態を示す全体斜視図
【図３】摺動フレームの構成を示す斜視図
【図４】ベッドフレームと摺動フレームと駆動手段の組立状態を示す斜視図
【図５】増幅リンクの構成を示す斜視図
【図６】摺動フレームと増幅リンク及び背受ボトムの構成を示す斜視図
【図７】その要部拡大斜視図
【図８】背受ボトムの組立説明の斜視図
【図９】腰受ボトムの構成を示す斜視図
【図１０】収納機構及び脚受ボトムの構成を示す斜視図
【図１１】転倒防止手段の構成を示す斜視図
【図１２】転倒防止手段の作用を示す全体図
【図１３】転倒防止手段の作用を示す要部説明図
【符号の説明】
【００３６】
１      転倒防止手段
２      ベースフレーム
３      摺動フレーム
４      駆動手段
５      腰受ボトム
６      起伏機構
７      背受ボトム
８      収納機構
９      脚受ボトム
９５    支持部材
９６    作動ロッド
１０６  スプリング
【図１】
2007202670.tif 000003
【図２】
2007202670.tif 000004
【図３】
2007202670.tif 000005
【図４】
2007202670.tif 000006
【図５】
2007202670.tif 000007
【図６】
2007202670.tif 000008
【図７】
2007202670.tif 000009
【図８】
2007202670.tif 000010
【図９】
2007202670.tif 000011
【図１０】
2007202670.tif 000012
【図１１】
2007202670.tif 000013
【図１２】
2007202670.tif 000014
【図１３】
2007202670.tif 000015